(57)【要約】      （修正有）【課題】手間なく手軽に楽しめて、肌への負担が少ないネイルシールの利点を生かしつつ、デザイン等の装飾性のほか、好きな香りに包まれるという嗜好性も満たすことのできるネイルシールを提供する。【解決手段】基材層３の下側面に爪に貼り付けるための粘着物質を有する粘着層２と、基材層３の上側面に香料を含浸させた香料材料層４とを少なくとも有し、互いを積層させて成型したことを特徴とする装飾性と芳香性を兼ね備えたネイルシール。【選択図】図２
0003182987.tif 000002
【実用新案登録請求の範囲】
【請求項１】
基材層と、基材層の下側面に爪に貼り付けるための粘着物質を有する粘着層と、基材層の上側面に香料を含浸させた香料材料層とを少なくとも有し、互いを積層させて成型したことを特徴とするネイルシール。
【請求項２】
基材層と、基材層の下側面に爪に貼り付けるための粘着物質を有する粘着層と、基材層の上側面に香料材料層と、香料材料層の上側面にコーティング層とを少なくとも有し、互いを積層させて形成したことを特徴とするネイルシール。
【請求項３】
基材層と、基材層の下側面に爪に貼り付けるための粘着物質を有する粘着層と、基材層の上側面に香料材料層と、香料材料層の上側面に装飾層とを少なくとも有し、互いを積層させて形成したことを特徴とするネイルシール。
【考案の詳細な説明】
【技術分野】
【０００１】
この考案は、手軽に爪を装飾でき良い香りも楽しめるネイルシールに関する。
【背景技術】
【０００２】
指先の香りのおしゃれ道具の一つとして香料入りマニキュア液が知られている。この香料入りマニキュア液は、直接爪に塗ったり、つけ爪に塗ったり、爪につけたネイルシールの上から塗ったりして使用される。香料入りマニキュア液は、爪に塗ったあとで乾かすという手順が必要であり手間と時間がかかるという問題があった。また、ネイルシールの上から香付マニキュアを塗った場合に、ネイルシールのデザインが隠れてしまい、香付マニキュアがネイルシール表面にうまく定着しないという問題もあった。
【０００３】
そこで、本考案は、指先に香りを手軽につけることができるネイルシールを提供することを目的とする。
【先行技術文献】
【特許文献】
【０００４】
【特許文献１】実用新案登録第３０１８１４３号
【特許文献２】実用新案登録第３０６０８５１号
【考案の概要】
【考案が解決しようとする課題】
【０００５】
従来のネイルシールに、爪や、つけ爪に直接貼るシール方式のネイルシールのほか、水に塗らして転写する方式のものや、圧迫して絵柄を爪に転写する方式のネイルシールがある。これらのネイルシールは、あらかじめ装飾ビーズが埋めこまれてあったり、色や模様が印刷されている布製や樹脂製の基材シートに、接着剤層が設けられて構成されており、手軽で簡単にネイルアートを楽しむことができるが、香りを楽しむという用途には応えらず、香りは添加されていない。
【０００６】
そこで、この考案の目的は、手間なく手軽に楽しめて、肌への負担が少ないネイルシールの利点を生かしつつ、デザイン等の視覚的な装飾性のほか、好きな香りに包まれるという嗜好性も満たすことのできるネイルシールを提供することにある。
【課題を解決するための手段】
【０００７】
このネイルシールは、基材層と、基材層の下側面に爪に貼り付けるための粘着物質を有する粘着層と、基材層の上側面に香料を含浸させた香料材料層とを少なくとも有し、互いを積層させて成型したことを特徴とする。
【０００８】
この構成によれば、ネイルシールを爪に貼付したときに、香料材料層に香料が含浸されていることにより、爪に貼ったときに香料から匂い成分が空中に放出され、指先から、良い香りを出すことができる。ここで、香料とは、香料インキ、香料オイル、香水、アロマオイルその他の人工的に香りを付加するものをいう。
【０００９】
香料材料層は、ネイルシールの全面を覆うように設けるだけではなく、部分的に設けても良く、たとえば、香料材料層を外気に接しやすいように、ネイルシールの外縁に沿って設ければ、効率よく匂い成分を外気に放出することができる。匂い成分を含む領域を設ける場所を変えることで、様々な強さの香りのネイルシールを提供することができる。
【００１０】
また、香料の量を変えたり、香料が含浸されている場所や範囲を変えることにより、香りの持続時間が異なるネイルシールを作成でき、また、香料の種類を変えることで、様々な香りのネイルシールを提供できる。その日の装い、シチュエーションに合わせて、最適なネイルシールを選択し、香りもおしゃれの一部として楽しむことができる。また、接客業においては、客の顔先に指先を持っていく場面も多いが、そのような場面でも、香りつきネイルシールは、香水のように香りが強すぎることがなく、上品で、ほのかな芳香性を提供することができる。
【００１１】
また、このネイルシールは、基材層と、基材層の下側面に爪に貼り付けるための粘着物質を有する粘着層と、基材層の上側面に香料を含浸させた香料材料層と、香料材料層の上側面にコーティング層とを少なくとも有し、互いを積層させて形成したことを特徴とする。
【００１２】
この構成によれば、ネイルシールを爪に貼付したときに、香料材料層に香料が含浸されていることにより、爪に貼ったときに香料から匂い成分が空中に放出され、指先から、良い香りを出すことができる。香料材料層の上側面にはコーティング層が設けられているので、香りの放出は適度な量に抑えられ、ほのかで上品な香りを楽しむことができる。
【００１３】
また、このネイルシールは、基材層と、基材層の下側面に爪に貼り付けるための粘着物質を有する粘着層と、基材層の上側面に香料を含浸させた香料材料層と、香料材料層の上側面に装飾層とを少なくとも有し、互いを積層させて形成したことを特徴とする。
【００１４】
この構成によれば、ネイルシールを爪に貼付したときに、香料材料層に香料が含浸されていることにより、爪に貼ったときに香料から匂い成分が空中に放出され、指先から、良い香りを出すことができる。香料材料層の上側には装飾層が設けられているので、香りと装飾性とを兼ね備えたネイルシールを提供することができ、香りの放出は適度に抑えられるので、強すぎず、ほのかな香りを楽しむことができる。
【図面の簡単な説明】
【００１５】
【図１】本考案の実施の形態１にかかる1枚のネイルシールの平面図である。
【図２】図１に示したネイルシールのＡ−Ａ線断面矢視図である。
【図３】図１に示したネイルシールが複数枚並んだシートの平面図である。
【図４】本考案の実施の形態１にかかるネイルシールの使用状態を示す参考図である。
【図５】本考案の実施の形態２にかかる1枚のネイルシールの平面図である。
【図６】図５に示したネイルシールのＢ−Ｂ線断面矢視図である。
【図７】本考案の実施の形態３にかかる1枚のネイルシールの平面図である。
【図８】図７に示したネイルシールのＣ−Ｃ線断面矢視図である。
【図９】図８に示したネイルシールのＤ−Ｄ線断面矢視図である。
【図１０】本考案の実施の形態４にかかるネイルシールの平面図である。
【図１１】図１０に示したネイルシールのＥ−Ｅ線断面矢視図である。
【考案を実施するための形態】
【００１６】
以下、この考案の実施の形態を、実施の形態毎に詳細に説明する。なお、文中、参考図を指し示しつつ説明するが、適且、他の図も参照するものとする。
【００１７】
（実施の形態１）
図１は、この考案の実施の形態１にかかる１枚のネイルシール１００を示す斜視図である。図２は図１に示したネイルシール１００のＡ−Ａ線断面矢視図である。図３は、図１に示したネイルシール１００が複数枚並んだシートの平面図である。図４は、本考案の実施の形態１にかかるネイルシール１００の使用状態を示す参考図である。
【００１８】
図１に示すように、ネイルシール１００は、爪の形状にあわせたラウンドシェイプ形のシールである。ネイルシール１００の形状は、ラウンドシェイプ形に限局されることなく、スクエア形、オーバル形でも良く、爪の形状に限定せず、花の形やハートの形にして模様のように爪の一部分に貼付できるようにしてもよく、略長方形のシールとして、好きな形にカットして使用するようにしても良い。
【００１９】
図２に示すように、このネイルシール１００は、台紙１に接する面から順番に、粘着層２、基材層３及び香料材料層４を設けた多層構造であり、基材層３を粘着層２と香料材料層４で挟み込んだ、サンドイッチ状の多層構造をなすシールである。
【００２０】
ネイルシール１００が載せられている台紙１の粘着層２と接する側の面にはネイルシール１００が剥離されやすいような表面加工が施されている。例えば、PE（ポリエチレン）ラミネート加工したうえシリコン塗布する等の加工がなされている。
【００２１】
ネイルシール１００の基材層３にはポリエチレンフィルム、紙、布等が用いられる。基材層３の素材は、前記素材のほか、爪の形状にフィットしやすいゴムやシリコンシート等の素材を用いてもよい。
【００２２】
基材層３の底面、すなわち、台紙１と接する側の面は、粘着剤を含む粘着層２が設けられている。粘着層２の粘着剤は、救急絆創膏に広く用いられるアクリル系粘着剤、ゴム系粘着剤またはシリコン系粘着剤等が用いられる。爪に直接貼付することから低アレルギー性で肌に負担の少ない粘着剤が望ましい。もちろん前記素材に限局されることはなく、用途により、はがれにくくするため強粘着の糊剤を用いても良いし、再剥離型や弱粘着の糊剤を用いて、トップコート液でコーティングすることによりネイルシール１００を爪に固定するようにしても良い。
【００２３】
ネイルシール１００の基材層３の上面、すなわち、粘着層２が接している面と反対側の面には、香料が含浸された香料材料層４が設けられている。香料材料層４には、香料のほか、色材（インク）やビーズや極小カラーストーンなどを一緒に含有させても良い。
【００２４】
図３に示すように、ネイルシール１００は、たとえば、略長方形の台紙１に、ラウンドシェイプ形のネイルシール１００が複数枚並べて貼付され、上部に略長方形の品番ラベル６が貼付されたものがパッケージに封入されて販売されている。ネイルシール１００と台紙１とは、パッケージに封入されていることにより、開封前は匂い成分を拡散させることなく封じ込めている。ネイルシール１００のパッケージの方法に関しては、台紙１に貼付されたネイルシール１００を、まとめてパッケージ封入するほか、ネイルシール１００を1枚ずつ個包装しても良い。
【００２５】
図４に示すように、ネイルシール１００は、それぞれの爪の大きさに合わせてカットしたのち爪に貼付される。爪に貼ったあとで余分な部分をカットして整える。ネイルシール１００は、爪全体に貼付するのではなく、爪の一部分にのみ貼付しても良い。また、違うデザインのネイルシールを組み合せて貼付しても良い。
【００２６】
指先につけたネイルシール１００から香りが拡散して、ほのかな芳香を楽しむことができる。その日の装い、シチュエーションに合わせた香りのネイルシールを選択し、香りもおしゃれの一部として楽しむことができる。さらに、客の顔先に指先を持っていく場面の多い接客業においても、香りつきネイルシールは、香水のように香りが強すぎることがなく、上品で、ほのかな芳香性を提供することができる。
【００２７】
ネイルシール１００の製造については、たとえば、基材層３のうえに、匂い成分５の含まれた香料を塗布し乾燥させた後、シルクスクリーン印刷等により色成分材料や装飾物を載せることにより匂い成分５を含む香料材料層４を形成する。または、色成分材料や装飾物をシルクスクリーン印刷等により載せた上から香料を塗布し乾燥させることにより匂い成分５を含む香料材料層４を形成しても良く、香料をシルクスクリーン印刷により載せても良い。
【００２８】
本考案の実施の形態では、ネイルシール１００の匂い成分５を含む香料を含浸させた領域を、香料材料層４の全体に設けられている構成を説明したが、匂い成分５を含む香料を含浸させた領域は香料材料層４全体に設けず、香料材料層４の一部分にのみ設けても良い。
【００２９】
（実施の形態２）
次に、本考案の実施の形態２について説明する。
【００３０】
図５は、この考案の実施の形態２にかかる１枚のネイルシール２００を示す斜視図である。図６は図５に示したネイルシール２００のＢ−Ｂ線断面矢視図である。
【００３１】
図５に示すように、ネイルシール２００は、爪の形状にあわせたラウンドシェイプ形のシールである。ネイルシール２００の形状は、ラウンドシェイプ形に限局されず、様々な形状でも良い。
【００３２】
図６に示すように、このネイルシール２００は、台紙１に接する面から順番に、粘着層２、基材層３、香料材料層４及びコーティング層７が設けられている多層構造である。
【００３３】
ネイルシール２００が載せられている台紙１の粘着層２と接する側の面にはネイルシール２００が剥離されやすいような表面加工が施されており、ネイルシール２００の基材層３にはポリエチレンフィルム、紙、布等が用いられる。基材層３の底面、すなわち、台紙１と接する側の面は、粘着剤を含む粘着層２が設けられている。
【００３４】
ネイルシール２００の基材層３の上面、すなわち、粘着層２が接している面と反対側の面には、香料材料層４が設けられており、香料材料層４には、匂い成分５を含む香料が含浸されているほか、色材（インク）やビーズや極小カラーストーンなどが含有されていても良い。香料材料層４の上には香料材料層４を保護しネイルシール２００の表面に光沢を与えるコーティング層７が設けられている。
【００３５】
匂い成分５を含む香料を含浸させた香料材料層４は、外気に接する面に近い場所に設けられているので、空気中に放出されやすく、顔の近くに行くことが多い指先から心地よい香りが放たれ、香りのおしゃれを楽しむことができる。
【００３６】
（実施の形態３）
次に、本考案の実施の形態３について説明する。
【００３７】
図７は、この考案の実施の形態３にかかる１枚のネイルシール３００を示す平面図である。図８は図７に示したネイルシール３００のＣ―Ｃ線断面矢視図であり、図９は図８に示したネイルシール３００のＤ―Ｄ線断面矢視図である。
【００３８】
図７に示すように、このネイルシール３００は、爪の形状にあわせたラウンドシェイプ形のシールである。ネイルシール３００の形状は、ラウンドシェイプ形に限局されることなく、側面及び上下がストレートなスクエア形、爪先を卵形にシェイプしたオーバル形等でも良く、爪の形状に限定せず、花の形やハートの形にして模様のように爪の一部分に貼付できるようにしてもよい。
【００３９】
図８に示すように、このネイルシール３００は、台紙１に接する面から順番に、粘着層２、基材層３、装飾層８及びコーティング層７が設けられている多層構造で、装飾層８の外周部には香料材料層４が設けられている。
【００４０】
ネイルシール３００が載せられている台紙１の粘着層２と接する側の面にはネイルシール３００が剥離されやすいような表面加工が施されている。例えば、PE（ポリエチレン）ラミネート加工したうえシリコン塗布する等の加工がなされている。
【００４１】
ネイルシール３００の基材層３にはポリエチレンフィルム、紙、布等が用いられる。基材層３の底面、すなわち、台紙１と接する側の面は、粘着剤を含む粘着層２が設けられている。基材層３の上面、すなわち、粘着層２が接している面と反対側の面には、シール外周部に沿った外縁に香料材料層４が設けられており、香料材料層４に囲まれた内側には、色成分材料（インク）、ビーズや極小カラーストーン等を含む装飾層８が設けられている。香料材料層４及び装飾層８の上面、すなわち基材層３と接している面とは反対側の面には、ネイルシール３００の表面に光沢を与え、香料材料層４及び装飾層８を保護するためのコーティング層７が設けられている。コーティング層７にも、色成分材料（インク）、ビーズや極小カラーストーン等を含ませる構成としても良い。
【００４２】
図９に示すように、匂い成分５を含む香料が含浸されている香料材料層４は、ネイルシール３００の外縁に沿った外周部分に設けられているので、匂い成分５が効率良く外気中に拡散する。したがって、指先から、心地よい香りを効率よく放出させることができる。
【００４３】
（実施の形態４）
次に、本考案の実施の形態４について説明する。
【００４４】
図１０は、この考案の実施の形態４にかかる１枚のネイルシール４００を示す平面図である。図１１は図１０に示したネイルシール４００のＥ―Ｅ線断面矢視図である。
【００４５】
図１０に示すように、このネイルシール４００は、爪の形状にあわせたラウンドシェイプ形のシールである。ネイルシール４００の形状は、ラウンドシェイプ形に限局されず、花の形やハートの形や、好みの形にカットして使えるシート形状としても良い。
【００４６】
図１１に示すように、このネイルシール４００は、台紙１に接する面から順番に、粘着層２、基材層３、コーティング層７が設けられている多層構造である。
【００４７】
ネイルシール４００が載せられている台紙１の粘着層２と接する側の面にはネイルシール４００が剥離されやすいような表面加工が施されている。ネイルシール４００の基材層３にはポリエチレンフィルム、紙、布等が用いられる。基材層３の底面、すなわち、台紙１と接する側の面は、粘着剤を含む粘着層２が設けられている。
【００４８】
ネイルシール４００の基材層３の上面、すなわち、粘着層２が接している面と反対側の面には、コーティング層７が設けられている。コーティング層７には、光沢を与える材料のほか、色成分材料（インク）、ビーズや極小カラーストーン等の装飾物も含むようにしても良い。
【００４９】
図１１に示すように、香料材料層４は、コーティング層７と基材層３との間隙に部分的に設けられている。香料材料層４に含浸された香料から匂い成分５が、コーティング層７と基材層３の間隙を通って外気中に拡散するので、香りが強すぎず、ほのかな香りを長時間持続させることができる。
【００５０】
本考案の実施の形態では、コーティング層７と基材層３との間隙に、部分的に香料材料層４を設ける構成を説明したが、香料材料層４は、コーティング層７と基材層３との間隙全面に設けても良い。コーティング層７と基材層３との間隙全面に設けた場合は、より強い香りを長時間持続させることができる。
【００５１】
本考案の実施の形態では、ネイルシール４００は、粘着層２、基材層３、香料材料層４及びコーティング層７の４つの層からなる構成を説明したが、いずれか２つの層または３つの層を組み合わせた構成としても良い。
【００５２】
本考案の実施の形態では、ネイルシール４００は、シルクスクリーン印刷により香料材料層４を形成する場合を例に説明したが、装飾方法はシルクスクリーン印刷に限局するものではなく、オフセット印刷や、インクジェット印刷等でもよく、また、何も印刷せず透明なままとしてもよい。
【００５３】
本考案の実施の形態では、ネイルシール４００は、粘着層２により爪に粘着させる構成としたが、水転写式のシールとしても良いし、圧着転写式のシールとしても良い。
【符号の説明】
【００５４】
１００  ネイルシール
２００  ネイルシール
３００  ネイルシール
４００  ネイルシール
１  台紙
２  粘着層
３  基材層
４  香料材料層
５  匂い成分
６  品番ラベル
７  コーティング層
８  装飾層
H  手
【図１】
0003182987.tif 000003
【図２】
0003182987.tif 000004
【図３】
0003182987.tif 000005
【図４】
0003182987.tif 000006
【図５】
0003182987.tif 000007
【図６】
0003182987.tif 000008
【図７】
0003182987.tif 000009
【図８】
0003182987.tif 000010
【図９】
0003182987.tif 000011
【図１０】
0003182987.tif 000012
【図１１】
0003182987.tif 000013